(57)【要約】【課題】インシュレータベース部へインシュレータカバー部との間で挟み付けられて固定保持される電気接続端子の保持部をレーザにより溶着固定する際に安定した支持が図られてレーザ溶着部が溶化状態で保持部に対して浸入するのを十分に防止でき、歩止まり良く作製し得る構造のコネクタを提供すること。【解決手段】このコネクタの場合、一軸方向に延びたインシュレータベース部１０及びインシュレータカバー部２０に挟み付けられる電気接続端子３６の保持部３６ａにおける略中央部分にインシュレータベース部１０に設けられた突起１０ａとの間でクリアランスを持って係合する係合用孔３６ａ″を設け、係合用孔３６ａ″に対する突起１０ａの係合状態でクリアランス部分に充填したレーザ溶着部がレーザによる溶着固定に供されるため、保持部３６ａがインシュレータベース部１０面に密着して安定して支持された上でレーザ溶着部が溶化状態で保持部３６ａに対して浸入されず溶着固定される。【選択図】図６
2005243548.tif 000002
【特許請求の範囲】
【請求項１】
一軸方向に延びた絶縁性の板状インシュレータベース部と、前記インシュレータベース部に装着されて固定保持される保持部、並びに該保持部から該一軸方向と垂直な方向に延びて相手側の電気接続部との接続に供される接続部を一体的に有する導電性の電気接続端子と、前記インシュレータベース部に装着された状態の前記電気接続端子における前記保持部を該インシュレータベース部との間で挟み付けることにより該保持部に対するレーザによる溶着固定を行うための一軸方向に延びた絶縁性の板状インシュレータカバー部とを備えたコネクタにおいて、前記電気接続端子における前記保持部にあっての少なくとも前記一軸方向における一方側の周縁部分には、該一軸方向に沿って突出すると共に、前記レーザによる溶着固定時に近傍に設けられたレーザ溶着部が溶化状態で該保持部に対して浸入するのを壁面で防止するための固着用片が一体的に設けられたことを特徴とするコネクタ。
【請求項２】
請求項１記載のコネクタにおいて、前記電気接続端子における前記保持部は、別途に前記レーザ溶着部が溶化状態で該保持部に対して浸入するのを壁面で防止するために一部が切り欠かれた少なくとも一つの切り欠き部又は一部が開口された少なくとも一つの開口部を有し、該切り欠き部近傍又は該開口部内には該レーザ溶着部が設けられて前記レーザによる溶着固定に供されることを特徴とするコネクタ。
【請求項３】
請求項１又は２記載のコネクタにおいて、前記電気接続端子は、前記保持部が前記インシュレータベース部に対して前記一軸方向に沿って並設されるように装着されて固定保持されると共に、前記接続部が該保持部からそれぞれ該一軸方向と垂直な方向に延びるように複数個のものが備えられ、前記インシュレータカバー部は、前記インシュレータベース部に装着された状態の前記複数の電気接続端子における前記保持部をそれぞれ該インシュレータベース部との間で纏めて挟み付けた上で該保持部を前記レーザによる溶着固定に供するものであることを特徴とするコネクタ。
【請求項４】
一軸方向に延びた絶縁性の板状インシュレータベース部と、前記インシュレータベース部に装着されて固定保持される保持部、並びに該保持部から該一軸方向と垂直な方向に延びて相手側の電気接続部との接続に供される接続部を一体的に有する導電性の電気接続端子と、前記インシュレータベース部に装着された状態の前記電気接続端子における前記保持部を該インシュレータベース部との間で挟み付けることにより該保持部に対するレーザによる溶着固定を行うための一軸方向に延びた絶縁性の板状インシュレータカバー部とを備えたコネクタにおいて、前記電気接続端子における前記保持部にあっての少なくとも略中央部分の一箇所には、前記インシュレータベース部の所定箇所に設けられた少なくとも一つの突起との間でクリアランスを持って係合する係合用孔が設けられ、該保持部における該係合用孔に対する該インシュレータベース部における該突起の係合状態で該クリアランス部分に充填したレーザ溶着部がレーザによる溶着固定に供されたことを特徴とするコネクタ。
【請求項５】
一軸方向に延びた絶縁性の板状インシュレータベース部と、前記インシュレータベース部に装着されて固定保持される保持部、並びに該保持部から該一軸方向と垂直な方向に延びて相手側の電気接続部との接続に供される接続部を一体的に有する導電性の電気接続端子と、前記インシュレータベース部に装着された状態の前記電気接続端子における前記保持部を該インシュレータベース部との間で挟み付けることにより該保持部に対するレーザによる溶着固定を行うための一軸方向に延びた絶縁性の板状インシュレータカバー部とを備えたコネクタにおいて、前記電気接続端子における前記保持部にあっての少なくとも前記一軸方向における一方側の周縁部分には、該一軸方向に沿って突出すると共に、前記レーザによる溶着固定時に近傍に設けられたレーザ溶着部が溶化状態で該保持部に対して浸入するのを壁面で防止するための固着用片が一体的に設けられ、更に、前記電気接続端子における前記保持部にあっての少なくとも略中央部分の一箇所には、前記インシュレータベース部の所定箇所に設けられた少なくとも一つの突起との間でクリアランスを持って係合する係合用孔が設けられ、該保持部における該係合用孔に対する該インシュレータベース部における該突起の係合状態で該クリアランス部分に充填した前記レーザ溶着部がレーザによる溶着固定に供されたことを特徴とするコネクタ。
【請求項６】
請求項４又は５記載のコネクタにおいて、前記係合用孔は、前記突起側に向かって窄むテーパ形状であることを特徴とするコネクタ。
【請求項７】
請求項４〜６の何れか一つに記載のコネクタにおいて、前記保持部近傍の前記一軸方向における少なくとも一方側にも前記レーザ溶着部が設けられたことを特徴とするコネクタ。
【請求項８】
請求項４〜７の何れか一つに記載のコネクタにおいて、前記電気接続端子は、前記保持部が前記インシュレータベース部に対して前記一軸方向に沿って並設されるように装着されて固定保持されると共に、前記接続部が該保持部からそれぞれ該一軸方向と垂直な方向に延びるように複数個のものが備えられ、前記インシュレータカバー部は、前記インシュレータベース部に装着された状態の前記複数の電気接続端子における前記保持部をそれぞれ該インシュレータベース部との間で纏めて挟み付けた上で該保持部を前記レーザによる溶着固定に供するものであり、前記インシュレータベース部には、前記複数個の電気接続端子における前記保持部に設けられた前記係合用孔に係合させるための前記突起が所定の間隔で列設されたことを特徴とするコネクタ。
【発明の詳細な説明】
【技術分野】
【０００１】
本発明は、主としてインシュレータベース部に対してインシュレータカバー部との間で挟み付けられて固定保持される保持部、並びに保持部から延びて相手側の電気接続部との接続に供される接続部を一体的に有する導電性の電気接続端子（所謂コンタクトと呼ばれるもの）を備えたコネクタに関し、詳しくは電気接続端子における保持部のレーザによる溶着固定時にレーザ溶着部が溶化状態で保持部に対して浸入するのを十分に防止し得る構造のコネクタに関する。
【背景技術】
【０００２】
従来、この種のコネクタとしては、例えば図１０に示されるような構造のもの（開発済みで製品化されているが、文献公知に係る発明でないもの）が挙げられる。即ち、図１０は、従来の一例に係るコネクタの基本構造を示した外観斜視図であり、同図（ａ）は各部を分解して示した状態に関するもの，同図（ｂ）は同図（ａ）の一部（各電気接続端子３）を組み付けた状態に関するものである。又、図１１は、このコネクタを組み付け後にレーザにより溶着固定する様子を説明するために示した外観斜視図である。
【０００３】
このコネクタは、図１０（ａ），（ｂ）を参照すれば、複数の棒板状電気接続端子３を装着可能であると共に、レーザ溶着部となる凹凸部が列設された絶縁性の板状インシュレータベース部１と、インシュレータベース部１に装着された状態の各電気接続端子３をインシュレータベース部１との間で挟み付けることによりレーザによる溶着固定を行うためのレーザ透過性を有する絶縁性の板状インシュレータカバー部２とを備えている。
【０００４】
このようなコネクタをレーザにより溶着固定する場合、図１1を参照すれば、レーザ照射装置４でインシュレータカバー部２側から白矢印で示されるレーザをインシュレータカバー部２における各電気接続端子３とは垂直な黒矢印で示される略中央方向に沿って照射することにより各電気接続端子３の略中央部分近傍を溶着固定する。
【０００５】
ところで、インシュレータベース部に装着された各電気接続端子がインシュレータカバー部に挟み付けられる構造のコネクタは、各電気接続端子の形状に応じて様々なタイプのものが開発されている。図１２は、従来の他例に係るコネクタの要部構造（これも開発済みで製品化されているが、文献公知に係る発明でないもの）を示した外観斜視図である。
【０００６】
このコネクタは、一軸方向に延びた板状のインシュレータベース部１０に対して一軸方向に沿って並設されるように装着されて固定保持される保持部３０ａ、並びに保持部３０ａから一軸方向と垂直な方向に延びて相手側の電気接続部との接続に供される接続部３０ｂを一体的に有する電気接続端子３０を備え、インシュレータベース部１０に装着された状態で保持部３０ａがそれぞれ略図する一軸方向に延びた板状の絶縁性インシュレータカバー部との間で纏めて挟み付けられた上でレーザによる溶着固定が行われるもので、保持部３０ａの一軸方向における周縁両側近傍にはレーザによる溶着固定に供されるレーザ溶着部１１が設けられている。即ち、このコネクタは、図１０（ａ），（ｂ）及び図１１で説明したコネクタの場合、インシュレータベース部１及びインシュレータカバー部２の表面積が比較的大きく、各電気接続端子３が列設されて相手側の電気接続部との接続に供される接続部の露呈部分が少ない構造となっているのに対し、インシュレータベース部１０及びインシュレータカバー部の表面積が比較的小さく、電気接続端子３０の相手側の電気接続部との接続に供される接続部の露呈部分が多いバネ状の構造であり、異なるタイプとなっている。
【０００７】
因みに、図１０（ａ），（ｂ）及び図１１で説明したコネクタに類似する構造のもの（特許文献１参照）や、コネクタをレーザにより溶着固定する技術（特許文献２参照）は周知である。
【０００８】
【特許文献１】特開平１０−１８９０６８号公報（要約）
【特許文献２】特開平１１−２１４１１６号公報（要約）
【発明の開示】
【発明が解決しようとする課題】
【０００９】
上述した図１２で説明した構造のコネクタの場合、組み付け後の各電気接続端子の保持部をインシュレータベース部に対してインシュレータカバー部との間で纏めて挟み付けてレーザにより溶着固定して固定保持する際、各電気接続端子がその延在方向の周りに回転して位置ずれを起こし易く、しばしばレーザ溶着部が溶化状態で保持部に対して浸入して固着されることにより、電気接続端子の弾性に悪影響を与えたり、或いはガタつきを生じさせたりすることがある等、溶着固定が安定して円滑に行われ難く、作製の歩止まりが優れないという難点がある。
【００１０】
本発明は、このような問題点を解決すべくなされたもので、その技術的課題は、インシュレータベース部へインシュレータカバー部との間で挟み付けられて固定保持される電気接続端子の保持部をレーザにより溶着固定する際に安定した支持が図られてレーザ溶着部が溶化状態で保持部に対して浸入するのを十分に防止でき、歩止まり良く作製し得る構造のコネクタを提供することにある。
【課題を解決するための手段】
【００１１】
本発明によれば、一軸方向に延びた絶縁性の板状インシュレータベース部と、インシュレータベース部に装着されて固定保持される保持部、並びに該保持部から該一軸方向と垂直な方向に延びて相手側の電気接続部との接続に供される接続部を一体的に有する導電性の電気接続端子と、インシュレータベース部に装着された状態の電気接続端子における保持部を該インシュレータベース部との間で挟み付けることにより該保持部に対するレーザによる溶着固定を行うための一軸方向に延びた絶縁性の板状インシュレータカバー部とを備えたコネクタにおいて、電気接続端子における保持部にあっての少なくとも一軸方向における一方側の周縁部分には、該一軸方向に沿って突出すると共に、レーザによる溶着固定時に近傍に設けられたレーザ溶着部が溶化状態で該保持部に対して浸入するのを壁面で防止するための固着用片が一体的に設けられたコネクタが得られる。
【００１２】
又、本発明によれば、上記コネクタにおいて、電気接続端子における保持部は、別途にレーザ溶着部が溶化状態で該保持部に対して浸入するのを壁面で防止するために一部が切り欠かれた少なくとも一つの切り欠き部又は一部が開口された少なくとも一つの開口部を有し、該切り欠き部近傍又は該開口部内には該レーザ溶着部が設けられてレーザによる溶着固定に供されるコネクタが得られる。
【００１３】
更に、本発明によれば、上記何れかのコネクタにおいて、電気接続端子は、保持部がインシュレータベース部に対して一軸方向に沿って並設されるように装着されて固定保持されると共に、接続部が該保持部からそれぞれ該一軸方向と垂直な方向に延びるように複数個のものが備えられ、インシュレータカバー部は、インシュレータベース部に装着された状態の複数の電気接続端子における保持部をそれぞれ該インシュレータベース部との間で纏めて挟み付けた上で該保持部をレーザによる溶着固定に供するコネクタが得られる。
【００１４】
一方、本発明によれば、一軸方向に延びた絶縁性の板状インシュレータベース部と、インシュレータベース部に装着されて固定保持される保持部、並びに該保持部から該一軸方向と垂直な方向に延びて相手側の電気接続部との接続に供される接続部を一体的に有する導電性の電気接続端子と、インシュレータベース部に装着された状態の電気接続端子における保持部を該インシュレータベース部との間で挟み付けることにより該保持部に対するレーザによる溶着固定を行うための一軸方向に延びた絶縁性の板状インシュレータカバー部とを備えたコネクタにおいて、電気接続端子における保持部にあっての少なくとも略中央部分の一箇所には、インシュレータベース部の所定箇所に設けられた少なくとも一つの突起との間でクリアランスを持って係合する係合する係合用孔が設けられ、該保持部における該係合用孔に対する該インシュレータベース部における該突起の係合状態で該クリアランス部分に充填したレーザ溶着部がレーザによる溶着固定に供されたコネクタが得られる。
【００１５】
他方、本発明によれば、一軸方向に延びた絶縁性の板状インシュレータベース部と、インシュレータベース部に装着されて固定保持される保持部、並びに該保持部から該一軸方向と垂直な方向に延びて相手側の電気接続部との接続に供される接続部を一体的に有する導電性の電気接続端子と、インシュレータベース部に装着された状態の電気接続端子における保持部を該インシュレータベース部との間で挟み付けることにより該保持部に対するレーザによる溶着固定を行うための一軸方向に延びた絶縁性の板状インシュレータカバー部とを備えたコネクタにおいて、電気接続端子における保持部にあっての少なくとも一軸方向における一方側の周縁部分には、該一軸方向に沿って突出すると共に、レーザによる溶着固定時に近傍に設けられたレーザ溶着部が溶化状態で該保持部に対して浸入するのを壁面で防止するための固着用片が一体的に設けられ、更に、電気接続端子における保持部にあっての少なくとも略中央部分の一箇所には、インシュレータベース部の所定箇所に設けられた少なくとも一つの突起との間でクリアランスを持って係合する係合用孔が設けられ、該保持部における該係合用孔に対する該インシュレータベース部における該突起の係合状態で該クリアランス部分に充填したレーザ溶着部がレーザによる溶着固定に供されたコネクタが得られる。
【００１６】
又、本発明によれば、上記何れかのコネクタにおいて、係合用孔は、突起側に向かって窄むテーパ形状であるコネクタが得られる。
【００１７】
更に、本発明によれば、上記何れか一つのコネクタにおいて、保持部近傍の一軸方向における少なくとも一方側にもレーザ溶着部が設けられたコネクタが得られる。
【００１８】
加えて、本発明によれば、上記何れか一つのコネクタにおいて、電気接続端子は、保持部がインシュレータベース部に対して一軸方向に沿って並設されるように装着されて固定保持されると共に、接続部が該保持部からそれぞれ該一軸方向と垂直な方向に延びるように複数個のものが備えられ、インシュレータカバー部は、インシュレータベース部に装着された状態の複数の電気接続端子における保持部をそれぞれ該インシュレータベース部との間で纏めて挟み付けた上で該保持部をレーザによる溶着固定に供するものであり、インシュレータベース部には、複数個の電気接続端子における保持部に設けられた係合用孔に係合させるための突起が所定の間隔で列設されたコネクタが得られる。
【発明の効果】
【００１９】
本発明のコネクタの場合、一軸方向に延びたインシュレータベース部及びインシュレータカバー部に挟み付けられる電気接続端子における保持部にあっての少なくとも一軸方向における一方側の周縁部分に対し、一軸方向に沿って突出すると共に、レーザによる溶着固定時に近傍に設けられたレーザ溶着部が溶化状態で保持部に対して浸入するのを壁面で防止するための固着用片を一体的に設けた構造とするか、或いは電気接続端子における保持部にあっての少なくとも略中央部分の一箇所に対し、インシュレータベース部の所定箇所に設けられた少なくとも一つの突起との間でクリアランスを持って係合する係合用孔を設けて保持部における係合用孔に対するインシュレータベース部における突起の係合状態でクリアランス部分に充填したレーザ溶着部がレーザによる溶着固定に供された構造とするか、更にはこれらの両方を採用した構造としているため、レーザによる溶着固定時にレーザ溶着部が溶化状態で保持部に対して浸入するのが安定して防止され、歩止まり良く作製されるようになる。こうした効果は、電気接続端子が複数個であり、保持部がインシュレータベース部に対して一軸方向に沿って並設されるように装着されて固定保持される場合（インシュレータベース部に各電気接続端子における保持部に設けられた係合用孔に係合させるための突起が所定の間隔で列設された構造を含む）においても、同等に得られ、所望ピッチの電気接続端子を持つコネクタが歩止まり良く作製されるようになる。
【発明を実施するための最良の形態】
【００２０】
本発明の最良の形態に係るコネクタは、一軸方向に延びた絶縁性の板状インシュレータベース部と、インシュレータベース部に装着されて固定保持される保持部、並びに保持部から一軸方向と垂直な方向に延びて相手側の電気接続部との接続に供される接続部を一体的に有する導電性の電気接続端子と、インシュレータベース部に装着された状態の電気接続端子における保持部をインシュレータベース部との間で挟み付けることにより保持部に対するレーザによる溶着固定を行うための一軸方向に延びた絶縁性の板状インシュレータカバー部とを備えた基本構造において、一軸方向に延びたインシュレータベース部及びインシュレータカバー部に挟み付けられる電気接続端子における保持部にあっての少なくとも一軸方向における一方側の周縁部分に対し、一軸方向に沿って突出すると共に、レーザによる溶着固定時に近傍に設けられたレーザ溶着部が溶化状態で保持部に対して浸入するのを壁面で防止するための固着用片を一体的に設けた構造とするか、或いは電気接続端子における保持部にあっての少なくとも略中央部分の一箇所に対し、インシュレータベース部の所定箇所に設けられた少なくとも一つの突起との間でクリアランスを持って係合する係合用孔を設けて保持部における係合用孔に対するインシュレータベース部における突起の係合状態でクリアランス部分に充填したレーザ溶着部がレーザによる溶着固定に供された構造とするか、更にはこれらの両方を採用した構造とするものである。尚、係合用孔は、突起側に向かって窄むテーパ形状とすれば係合の強度を維持したままクリアランスが確保されるために好ましい。又、係合用孔に突起を係合させてクリアランス部分にレーザ溶着部を充填する構造においても、保持部近傍の一軸方向（インシュレータベース部の延在方向）における少なくとも一方側にレーザ溶着部を設けるようにすれば、レーザによる溶着固定の強度が増すために好ましい。
【００２１】
但し、電気接続端子は、通常複数個のものがインシュレータベース部の延在方向（一軸方向）に沿って備えられるため、こうした場合の形態として、一般的に電気接続端子は、保持部がインシュレータベース部に対して一軸方向に沿って並設されるように装着されて固定保持されると共に、接続部が保持部からそれぞれ一軸方向と垂直な方向に延びるように複数個のものが備えられ、インシュレータカバー部は、インシュレータベース部に装着された状態の各電気接続端子における保持部をそれぞれインシュレータベース部との間で纏めて挟み付けた上で保持部をレーザによる溶着固定に供するものとすることが望ましい。又、インシュレータベース部には、各電気接続端子における保持部に設けられた係合用孔に係合させるための突起が所定の間隔で列設されたものとすることが望ましい。
【実施例１】
【００２２】
図１は、本発明の実施例１の形態１に係るコネクタにおける要部構造を示した外観斜視図である。
【００２３】
このコネクタの場合も、一軸方向に延びた絶縁性の板状インシュレータベース部１０と、インシュレータベース部１０に対して一軸方向に沿って並設されるように装着されて固定保持される保持部３１ａ、並びに保持部３１ａから一軸方向と垂直な方向に延びて図示されない相手側の電気接続部との接続に供される接続部３１ｂを一体的に有する導電性の複数（図１中では一対）の電気接続端子３１と、インシュレータベース部１０に装着された状態の各電気接続端子３１における保持部３１ａをインシュレータベース部１０との間で纏めて挟み付けることにより保持部３１ａに対するレーザによる溶着固定を行うための略図する一軸方向に延びた絶縁性の板状インシュレータカバー部とを備えた点は図１２で説明した従来構造のものと同様であるが、ここでは各電気接続端子３１における保持部３１ａにあっての一軸方向における両縁部分に対し、一軸方向に沿って突出すると共に、レーザによる溶着固定時に近傍に設けられたレーザ溶着部１１が溶化状態で保持部３１ａに対して浸入するのを壁面で防止するための略鍵状の固着用片３１ａ′が左右対象となるように一体的に設けられている。
【００２４】
このコネクタの場合、組み付け時に各電気接続端子３１の保持部３１ａをインシュレータベース部１０に対してインシュレータカバー部との間で纏めて挟み付けてレーザにより溶着固定して固定保持する際、各電気接続端子３１における保持部３１ａに設けられた略鍵状の固着用片３１ａ′の存在により支持点が増加することにより各電気接続端子３１の延在方向周りの回転（動き）が安定して阻止され、レーザによる溶着固定時に近傍に設けられたレーザ溶着部１１の溶化状態での保持部３１ａに対する浸入が固着用片３１ａ′の壁面で防止されるため、インシュレータベース部１０面でのレーザによる溶着固定を適確に行うことができ、歩止まり良く作製し得る構造となっている。
【００２５】
ところで、同等な機能並びに効果は、固着用片３１ａ′の形状やその近傍に設けられるレーザ溶着部１１の配置パターンを工夫することにより、様々な形態ので得ることができる。
【００２６】
図２は、本発明の実施例１の形態２に係るコネクタにおける要部構造を一部破断して示した外観斜視図である。このコネクタの場合、同等な機能の保持部３２ａ及び接続部３２ｂを持つ電気接続端子３２における保持部３２ａにあっての一軸方向における両縁部分に一軸方向に沿って突出する帯状の固着用片３２ａ′が左右対象で一体的に設けられている。ここでは、図１に示すコネクタに適用された電気接続端子３１よりも配設ピッチに余裕を持たせられる場合に有効なもので、レーザ溶着部１１を保持部３２ａの周縁から遠ざけて固着用片３２ａ′近傍の４箇所に設けて支持点を増加することができるため、安定した支持が図られてレーザ溶着部１１の溶化状態での保持部３２ａに対する浸入をほぼ完全に防止することができる。
【００２７】
図３は、本発明の実施例１の形態３に係るコネクタにおける要部構造を一部破断して示した外観斜視図である。このコネクタの場合、同等な機能の保持部３３ａ及び接続部３３ｂを持つ電気接続端子３３における保持部３３ａにあっての一軸方向における一方側の周縁部分に一軸方向に沿って突出する帯状の固着用片３３ａ′を一体的に設けられている。ここでは、図１に示すコネクタに適用された電気接続端子３１よりも配設ピッチに余裕を持たせられるが、図２に示すコネクタに適用された電気接続端子３２程には配設ピッチの余裕を持たせられない場合に有効なもので、ほぼ同等な効果を得られるようにしている。
【００２８】
図４は、本発明の実施例１の形態４に係るコネクタにおける要部構造を一部破断して示した外観斜視図である。このコネクタの場合、図３に示すコネクタに適用された電気接続端子３３を変形し、同等な機能の保持部３４ａ及び接続部３４ｂを持つ電気接続端子３４における保持部３４ａにあっての他方の周縁近傍を切り欠いて切り欠き部を形成し、この切り欠き部の周縁近傍にレーザ溶着部１１の形状を変えて設けるようにしたものである。このように保持部３４ａの局部を切り欠いてレーザによる溶着固定に供することも有効である。
【００２９】
図５は、本発明の実施例１の形態５に係るコネクタに備えられる電気接続端子３５の基本構造を示した外観斜視図である。この電気接続端子３５の場合、上述した各形態の場合と同様な機能の保持部３５ａ及び接続部３５ｂを持つが、保持部３５ａからはインシュレータベース部１０の延在方向に突出するばかりでなく、接続部３５ｂの延在方向にも延びた固着用片３５ａ′が一体的に設けられている。ここでは、保持部３５ａから固着用片３５ａ′を一体的に設ける態様として、インシュレータベース部１０の一軸方向とは垂直な接続部３５ｂの延在方向での寸法分まで可能であることを示しているが、この構造の場合には一軸方向周りの回転（動き）も阻止されるため、保持部３５ａが十分に安定して支持された上で適確にレーザによる溶着固定が行われるようになる。
【００３０】
即ち、図１〜図５に示した何れのコネクタにおいても、レーザによる溶着固定時に各電気接続端子３１，３２，３３，３４，３５の保持部３１ａ，３２ａ，３３ａ，３４ａ，３５ａに設けられた固着用片３１ａ′，３２ａ′，３３ａ′，３４ａ′，３５ａ′が各電気接続端子３１，３２，３３，３４，３５の延在方向の周りの回転（動き）を阻止するために安定した支持が図られた上、固着用片３１ａ′，３２ａ′，３３ａ′，３４ａ′，３５ａ′の壁面でレーザ溶着部１１の溶化状態での保持部３１ａ，３２ａ，３３ａ，３４ａ，３５ａに対する浸入を防止して固着固定が行われる。尚、その他の変形例として、略図するが、図４に示したコネクタの構成を応用し、電気接続端子における保持部に対し、別途にレーザ溶着部１１が溶化状態で保持部に対して浸入するのを壁面で防止するために一部が切り欠かれた複数の切り欠き部又は一部が開口された少なくとも一つの開口部を設け、こうした各切り欠き部近傍や開口部内にレーザ溶着部１１を配設するようにしてレーザによる溶着固定を行うようにすることも可能であり、この場合には溶着固定の強度が一層増すようになる。
【実施例２】
【００３１】
図６は、本発明の実施例２の形態１に係るコネクタの基本構造を示した外観斜視図であり、同図（ａ）は各部を分解して示した状態に関するもの，同図（ｂ）は同図（ａ）の局部（電気接続端子３６の保持部３６ａ）におけるＡ−Ａ′線方向の側面断面図に関するもの，同図（ｃ）は同図（ａ）の一部（電気接続端子３６）を組み付けた要部の組み付け状態に関するものである。
【００３２】
このコネクタの場合、一軸方向に延びたインシュレータベース部１０及びインシュレータカバー部２０に挟み付けられると共に、上述した実施例１の各形態の場合と同様な機能の保持部３６ａ及び接続部３６ｂを持つ電気接続端子３６の保持部３６ａにおける略中央部分にインシュレータベース部１０に設けられた突起１０ａとの間でクリアランスを持って係合する係合用孔３６ａ″が設けられ、保持部３６ａにおける係合用孔３６ａ″に対するインシュレータベース部１０の突起１０ａの係合状態でクリアランス部分に充填したレーザ溶着部がレーザによる溶着固定に供されるものである。
【００３３】
このコネクタの場合においても、組み付け時に各電気接続端子３６の保持部３６ａをインシュレータベース部１０に対してインシュレータカバー部２０との間で纏めて挟み付けてレーザにより溶着固定して固定保持する際、各電気接続端子３６における保持部３６ａに設けられた丸形の係合用孔３６ａ″にインシュレータベース部１０の突起１０ａが係合されてそのクリアランス部分に充填されたレーザ溶着部がレーザによる溶着固定に供されるため、各電気接続端子３６の保持部３６ａがインシュレータベース部１０面に密着されて安定した支持が図られ（インシュレータベース部１０の延在方向及び各電気接続端子３６の延在方向の双方の周りの動きが阻止される）た上、レーザ溶着部の溶化状態での保持部３６ａに対する浸入が防止されるため、実施例１の各形態におけるコネクタの場合と同様にレーザによる溶着固定を適確に行うことができ、歩止まり良く作製し得る構造となっている。特に、図６（ｂ）に示されるように、保持部３６ａに設けられた係合用孔３６ａ″をインシュレータベース部１０に設けられた突起１０ａ側に向かって窄むようなテーパ形状にすれば、係合の強度を維持したままクリアランスを確保でき、係合用孔３６ａ″への突起１０ａの係合状態で保持部３６ａが安定してインシュレータベース部１０面に安定して密着支持された上でレーザによる溶着固定が行われるため、ガタつきに対する強度が増すようになる。
【００３４】
ここでも同等な機能並びに効果は、係合用孔３６ａ″の形状やそれに係合されるインシュレータベース部１０の突起１０ａの形状を工夫することにより、様々な形態で得ることができる。
【００３５】
図７は、本発明の実施例２の形態２に係るコネクタに備えられる電気接続端子３７の基本構造を示した外観斜視図である。このコネクタの場合、図６（ａ），〜（ｃ）に示すコネクタに適用された電気接続端子３６を変形し、同等な機能の保持部３７ａ及び接続部３７ｂを持つ電気接続端子３７の保持部３７ａにおける略中央部分に四角形の係合用孔３７ａ″が設けられ、略図するインシュレータベース部１０に設けられる突起も四角柱状とする場合を示している。
【００３６】
図８は、本発明の実施例２の形態３に係るコネクタに備えられる電気接続端子３８の基本構造を示した外観斜視図である。このコネクタの場合も、図６（ａ），〜（ｃ）に示すコネクタに適用された電気接続端子３６を変形したもので、同等な機能の保持部３８ａ及び接続部３８ｂを持つ電気接続端子３８の保持部３８ａにおける略中央部分に凸字形の係合用孔３８ａ″が設けられ、略図するインシュレータベース部１０に設けられる突起も断面凸字形の柱状とする場合を示している。
【００３７】
即ち、図６（ａ）〜（ｃ）乃び図８に示した何れのコネクタにおいても、レーザによる溶着固定時に各電気接続端子３６，３７，３８の保持部３６ａ，３７ａ，３８ａに設けられた係合用孔３６ａ″，３７ａ″，３８ａ″（何れもインシュレータベース部１０に設けられた突起１０ａ側に向かって窄むようなテーパ形状にすることが好ましい）にインシュレータベース部１０の突起１０ａがクリアランスを持って係合されることにより、各電気接続端子３６，３７，３８の延在方向及びインシュレータベース部１０の延在方向の双方の周りの回転（動き）が阻止され、安定して保持部３６ａ，３７ａ，３８ａがインシュレータベース部１０面上に支持された上、クリアランス部分に充填されたレーザ溶着部が溶化状態で保持部３６ａ，３７ａ，３８ａに対して浸入するのが防止されて溶着固定される。
【００３８】
尚、この実施例２に係る各形態のコネクタは、何れも実施例１に係る各形態のコネクタよりも狭ピッチ化による高密度なコネクタを作製する場合に好適なものとなっている。又、実施例２に係る各形態の何れのコネクタにおいても、略図するが、保持部３６ａ，３７ａ，３８ａ近傍のインシュレータベース部１０の延在方向における少なくとも一方側にレーザ溶着部を設けるようにすれば、溶着固定の強度が一層増すようになる。
【実施例３】
【００３９】
図９は、本発明の実施例３に係るコネクタにおける要部構造を示した外観斜視図である。
【００４０】
このコネクタの場合、図１に示した実施例１の形態１に係るコネクタと図６（ａ）〜（ｃ）に示した実施例２の形態１に係るコネクタとにおける各電気接続端子３１，３６の保持部３１ａ，３６ａの構造を併合した形態のものである。即ち、このコネクタの場合、同等な機能の保持部３９ａ及び接続部３９ｂを持つ電気接続端子３９における保持部３９ａにあっての一軸方向（インシュレータベース部１０の延在方向）における両縁部分に対し、一軸方向に沿って突出すると共に、レーザによる溶着固定時に近傍に設けられたレーザ溶着部１１が溶化状態で保持部３９ａに対して浸入するのを壁面で防止するための略鍵状の固着用片３９ａ′が左右対象となるように一体的に設けられている他、保持部３９ａにおける略中央部分にインシュレータベース部１０に設けられた突起１０ａとの間でクリアランスを持って係合する係合用孔３９ａ″が設けられ、保持部３９ａにおける係合用孔３９ａ″に対するインシュレータベース部１０の突起１０ａの係合状態でクリアランス部分に充填した同様なレーザ溶着部１１がレーザによる溶着固定に供されるものである。
【００４１】
このコネクタの場合においても、組み付け時に実施例１の形態１と実施例２の形態１とで説明した場合の機能を合わせ持つものとなり、係合用孔３９ａ″への突起１０ａの係合状態で保持部３９ａが安定してインシュレータベース部１０面に密着して安定して支持された上でレーザ溶着部１１が溶化状態で保持部３９ａに対して浸入されず適確に溶着固定されるため、ガタつきに対する強度が増し、歩止まり良く作製し得る構造となっている。
【００４２】
因みに、上述した各実施例やその各形態に係るコネクタの作製に際して、溶着固定に用いるレーザの波長としては、８００〜１１００［ｎｍ］の範囲で選定することが望ましい。又、レーザ樹脂溶着を行う場合、インシュレータカバー部２０にはレーザを透過可能な樹脂材料を用い、インシュレータベース部１０にはレーザを吸収可能な樹脂材料を用いれば良く、更にレーザ樹脂溶着を熱可塑性樹脂（ＬＣＰ）で行う場合、インシュレータカバー部２０には自然色の樹脂材料を用い、インシュレータベース部１０には黒色の樹脂材料を用いるようにすれば良い。加えて、インシュレータカバー部１０の板厚は、例えば０．２〜０．３［ｍｍ］程度の薄いものを用いた方がレーザの透過率が高く、溶着強度が強くなるために好ましい。
【図面の簡単な説明】
【００４３】
【図１】本発明の実施例１の形態１に係るコネクタにおける要部構造を示した外観斜視図である。
【図２】本発明の実施例１の形態２に係るコネクタにおける要部構造を一部破断して示した外観斜視図である。
【図３】本発明の実施例１の形態３に係るコネクタにおける要部構造を一部破断して示した外観斜視図である。
【図４】本発明の実施例１の形態４に係るコネクタにおける要部構造を一部破断して示した外観斜視図である。
【図５】本発明の実施例１の形態５に係るコネクタに備えられる電気接続端子の基本構造を示した外観斜視図である。
【図６】本発明の実施例２の形態１に係るコネクタの基本構造を示した外観斜視図であり、（ａ）は各部を分解して示した状態に関するもの，（ｂ）は（ａ）の局部におけるＡ−Ａ′線方向の側面断面図に関するもの，（ｃ）は（ａ）の一部を組み付けた要部の組み付け状態に関するものである。
【図７】本発明の実施例２の形態２に係るコネクタに備えられる電気接続端子の基本構造を示した外観斜視図である。
【図８】本発明の実施例２の形態３に係るコネクタに備えられる電気接続端子の基本構造を示した外観斜視図である。
【図９】本発明の実施例３に係るコネクタにおける要部構造を示した外観斜視図である。
【図１０】従来の一例に係るコネクタの基本構造を示した外観斜視図であり、（ａ）は各部を分解して示した状態に関するもの，（ｂ）は（ａ）の一部を組み付けた要部の組み付け状態に関するものである。
【図１１】図１０に示すコネクタを組み付け後にレーザにより溶着固定する様子を説明するために示した外観斜視図である。
【図１２】従来の他例に係るコネクタの要部構造を一部破断して示した外観斜視図である。
【符号の説明】
【００４４】
１，１０    インシュレータベース部
２，２０    インシュレータカバー部
３，３０，３１〜３９  電気接続端子
４    レーザ照射装置
１０ａ    突起
１１    レーザ溶着部
３０ａ〜３９ａ    保持部
３１ａ′〜３５ａ′，３９ａ′    固着用片
３６ａ″〜３９ａ″    係合用孔
３０ｂ〜３９ｂ    接続部
【図１】
2005243548.tif 000003
【図２】
2005243548.tif 000004
【図３】
2005243548.tif 000005
【図４】
2005243548.tif 000006
【図５】
2005243548.tif 000007
【図６】
2005243548.tif 000008
【図７】
2005243548.tif 000009
【図８】
2005243548.tif 000010
【図９】
2005243548.tif 000011
【図１０】
2005243548.tif 000012
【図１１】
2005243548.tif 000013
【図１２】
2005243548.tif 000014